(57)【特許請求の範囲】
【請求項１】
測定部位に巻き付ける測定用空気袋と、
前記測定用空気袋の外側から測定部位に向けて前記測定用空気袋を圧迫するための圧迫手段と、
前記測定用空気袋内を加圧するための加圧部と、
前記測定用空気袋内を減圧するための減圧部と、
前記加圧部による加圧工程または前記減圧部による減圧工程において血圧を決定する血圧決定部と、
前記減圧部による減圧により前記測定用空気袋の内圧が特定の圧力以下となったときに、前記圧迫手段に、前記測定用空気袋に対して大気圧以上の圧力を印加させる制御部とを備え、
前記圧迫手段は、前記測定用空気袋の外側に位置する圧迫用空気袋を含み、
前記制御部は、前記圧迫用空気袋の内圧を制御することにより、前記圧迫用空気袋に、前記測定用空気袋に対して大気圧以上の圧力を印加する、血圧測定装置。
【請求項２】
前記制御部は、前記測定用空気袋と前記圧迫用空気袋の内圧差に基づいて、前記圧迫手段による前記測定用空気袋の圧迫態様を制御する、請求項１に記載の血圧測定装置。
【請求項３】
前記測定用空気袋の外側に巻き付けられた可撓部材をさらに備え、
前記可撓部材は、その一部を互いに接するように重ねられて、前記測定用空気袋の外側に巻きつけられ、
前記制御部は、前記圧迫手段に、前記可撓部材に対して、前記測定用空気袋を圧迫するように、大気圧と前記可撓部材同士が接する部分の摩擦力との和以上の圧力を印加させる、請求項１または２に記載の血圧測定装置。
【請求項４】
前記圧迫手段は、前記測定用空気袋の外側に巻き付けられる巻き付け部材と、前記巻き付け部材を巻取ることにより当該巻き付け部材によって前記測定用空気袋を圧迫する巻取り機構とを含む、請求項１に記載の血圧測定装置。
【請求項５】
前記制御部は、前記減圧部による減圧の開始から所定の時間が経過したことを条件として、前記圧迫手段に、前記測定用空気袋に対して大気圧以上の圧力を印加させる、請求項１〜請求項４のいずれか１項に記載の血圧測定装置。
【発明の詳細な説明】
【技術分野】
【０００１】
本発明は、血圧測定装置に関し、特に、血圧測定の際に測定部位に測定用空気袋を自動的に巻き付けて圧迫する血圧測定装置に関する。
【背景技術】
【０００２】
従来の血圧測定装置では、測定開始時に、測定用空気袋を適切な強度で測定部位に巻き付けるため、測定用空気袋の予備的な加圧が行なわれていた。
【０００３】
測定用空気袋は、測定用カフに内包されており、そして、当該カフには、たとえば、測定用空気袋を圧迫する手段の一例である圧迫用空気袋がさらに内包されている。そして、測定用空気袋における圧力の変化に基づいて、血圧が測定される。
【０００４】
上記したような予備的な加圧に関し、たとえば特許文献１（特開２００５−３０５０２８号公報）に開示がなされている。当該文献では、測定用空気袋に所定量の空気が導入された後、圧迫用空気袋の圧力を上昇させながら当該圧迫用空気袋の圧力の上昇率が検出され、そして、上昇開始時に対して所定の圧力上昇率が検出されたところで、測定用空気袋の巻き付処理が終了する。
【０００５】
そして、測定用空気袋における圧力の変化に基づいた血圧の測定は、たとえば特許文献２（特開昭６２−２６８５３２号公報）に開示されている。具体的には、当該測定用空気袋の内圧の変化（以下、「圧脈波」という）の最大値に対して、次の式（１）および式（２）で検出される閾値（Ｔｈ＿ＳＢＰ，Ｔｈ＿ＤＢＰ）の振幅をとる圧脈波が発生した圧力値として算出される。なお、式（１）および式（２）において、ＡｍｐＭａｘは最大圧脈波振幅値であり、αＳＢＰ，βＳＢＰ，αＤＢＰ，βＤＢＰは、実験的に求められる定数である。
【０００６】
Ｔｈ＿ＳＢＰ＝ＡｍｐＭａｘ×αＳＢＰ＋βＳＢＰ    …（１）
Ｔｈ＿ＤＢＰ＝ＡｍｐＭａｘ×αＤＢＰ＋βＤＢＰ    …（２）
【先行技術文献】
【特許文献】
【０００７】
【特許文献１】特開２００５−３０５０２８号公報
【特許文献２】特開昭６２−２６８５３２号公報
【発明の概要】
【発明が解決しようとする課題】
【０００８】
特許文献１に記載の技術では、測定終了時には、測定用空気袋内の空気が排出されるが、当該排出が何らかの原因で満足に行なわれなかった場合、測定開始時の測定用空気袋の空気の残量が異なる事態が想定される。そして、上記の予備的な加圧において、測定用空気袋への空気の導入は、加圧機構の駆動時間で制御されていた。このことから、測定開始時の測定用空気袋内の空気の残量が異なる場合、上記予備的な加圧における測定用空気袋へ導入される空気量にばらつきが発生し、その結果、予備的な加圧の後のカフの巻き付け強度にばらつきが生じる事態が想定される。
【０００９】
測定開始時にカフの巻き付け強度にばらつきが生じると、これにより、算出される血圧値にもばらつきが生じる事態が想定される。血圧算出に使用する上記圧脈波は、測定部位の加圧または減圧中に生じる動脈の容積変化により生じる測定用空気袋の容量変化を圧力変化として検出している。予備的な加圧における測定用空気袋内の空気量のばらつきや、巻き付け強度のばらつきにより測定用空気袋内の空気量が変化するため、その結果として検出される圧脈波の大きさが変化し、上記式（１）および式（２）から理解されるように血圧値にばらつきが発生する。
【００１０】
本発明は、係る実情に鑑み考え出されたものであり、血圧測定装置において、測定開始時のカフの巻き付け強度のばらつきを抑えることを目的とするものである。
【課題を解決するための手段】
【００１１】
本発明に従った血圧測定装置は、測定部位に巻き付ける測定用空気袋と、測定用空気袋の外側から測定部位に向けて測定用空気袋を圧迫するための圧迫手段と、測定用空気袋内を加圧するための加圧部と、測定用空気袋内を減圧するための減圧部と、加圧部による加圧工程または減圧部による減圧工程において血圧を決定する血圧決定部と、減圧部による減圧により測定用空気袋の内圧が特定の圧力以下となったときに、圧迫手段に、測定用空気袋に対して大気圧以上の圧力を印加させる制御部とを備える。
【発明の効果】
【００１２】
本発明によれば、測定用空気袋内の排気が行なわれる際に、圧迫手段から大気圧以上の圧力が印加されることにより、測定用空気袋内の空気の排出を促進でき、測定開始時の測定用空気袋内の空気の残量のばらつきを抑えることができる。
【００１３】
これにより、測定開始時のカフの巻き付強度のばらつきを抑えることができる。
【図面の簡単な説明】
【００１４】
【図１】本発明の一実施の形態にかかる血圧測定装置（血圧計）の外観の具体例を示す斜視図である。
【図２】図１の血圧計の血圧測定時の断面概略図である。
【図３】図１の血圧計の測定部の内部構造を説明するための断面図である。
【図４】図１の血圧計の機能構成の具体例を示すブロック図である。
【図５】図１の血圧計において実行される血圧測定処理のフローチャートである。
【図６】図５の血圧測定処理における、測定用空気袋と圧迫固定用空気袋の内圧の変化の一例を示す図である。
【図７】図１の血圧計の変形例（２）において実行される血圧測定処理のフローチャートである。
【図８】図７の血圧測定処理における、測定用空気袋と圧迫固定用空気袋の内圧の変化の一例を示す図である。
【図９】図１の血圧計の変形例（４）のブロック図である。
【図１０】図１の血圧計の変形例（４）の測定部位近傍の模式的な断面図である。
【図１１】図９の血圧計において実行される血圧測定処理のフローチャートである。
【発明を実施するための形態】
【００１５】
以下に、図面を参照しつつ、本発明の実施の形態について説明する。以下の説明では、同一の部品および構成要素には同一の符号を付してある。それらの名称および機能も同じである。
【００１６】
［１．全体構成］
図１は、本発明の一実施の形態にかかる血圧測定装置（以下、血圧計）１の外観の具体例を示す斜視図である。
【００１７】
図１を参照して、本実施の形態にかかる血圧計１は、主に、机等に載置される本体２と、測定者の測定部位である上腕を差込むための測定部５とを備える。本体２の上部には、電源スイッチや測定スイッチなどが配置された操作部３と、表示部４と、肘置きとが備えられる。また、測定部５は本体２に対して角度が可変に取付けられており、略円筒状の機枠であるハウジング６と、ハウジング６の内周部に収納された生体圧迫固定装置とを備える。なお、図１に示されるように、通常の使用状態においてハウジング６の内周部に収納された生体圧迫固定装置は露出しておらず、カバー７によって覆われている。
【００１８】
表示部４は、たとえば液晶ディスプレイ等の周知の表示装置によって実現される。
図２は、血圧測定時の血圧計１の断面概略図である。図２を参照して、血圧測定の際には、ハウジング６の内部に上腕１００を差込んで上記肘置きに肘を載置して、測定開始を指示する。上腕１００は上記生体圧迫固定装置によって圧迫固定され、血圧が測定される。
【００１９】
生体圧迫固定装置は、カフに該当する、測定部位を圧迫して血圧を測定するための測定用空気袋１３と、測定用空気袋１３の外側に位置し、径方向に伸縮可能な略円筒形の可撓部材であるカーラ１０と、カーラ１０の外側に位置し、膨張することによってカーラ１０の外周面を内側に向かって押圧してカーラ１０を縮径させ、ハウジングと共にカーラ１０を介して測定用空気袋１３を生体の測定部位に押付ける測定用空気袋圧迫手段である圧迫固定用空気袋８とを備える。
【００２０】
［２．測定部の内部構造］
図３は、測定部５の内部構造を説明するための断面図である。図３を参照して、測定部５においては、ハウジング６の内側に圧迫固定用空気袋８が備えられ、後述する圧迫固定用エア系３０（図４参照）によって膨張／縮小する。
【００２１】
圧迫固定用空気袋８の内側には、略円筒状に巻き回された板状部材からなるカーラ１０が配置されている。カーラ１０は、プラスチック等の可撓性の材料からなる薄板状の板体であり、外力が加えられることによって径方向に弾性変形する。
【００２２】
測定用空気袋１３は、カーラ１０の内側に配置され、後述する測定用エア系２０（図４参照）によって膨張／縮小する。
【００２３】
カーラ１０は、当該カーラ１０の一部同士が巻き付け方向において重なるように、測定用空気袋１３に巻き付けられている。
【００２４】
［３．ブロック構成］
図４は、血圧計１の機能構成の具体例を示すブロック図である。
【００２５】
図４を参照して、血圧計１は、上記測定用空気袋１３と上記圧迫固定用空気袋８を含み、さらに、測定用空気袋１３に接続される測定用エア系２０、および、圧迫固定用空気袋８に接続される圧迫固定用エア系３０を含む。
【００２６】
測定用エア系２０は、測定用空気袋１３の内圧を測定する圧力センサ２３、測定用空気袋１３に対する給気／排気を行なうポンプ２１、および弁２２を含む。圧迫固定用エア系３０は、圧迫固定用空気袋８の内圧を測定する圧力センサ３３、圧迫固定用空気袋８に対する給気／排気を行なうポンプ３１、および弁３２を含む。
【００２７】
また、血圧計１は、血圧計１全体を制御するＣＰＵ（Central Processing Unit）４０と、測定用エア系２０に接続される増幅器２８、ポンプ駆動回路２６、および弁駆動回路２７と、圧迫固定用空気袋８に接続される増幅器３８、ポンプ駆動回路３６、および弁駆動回路３７と、増幅器２８，３８に各々接続されるＡ／Ｄ（Analog to Digital）変換器２９，３９と、ＣＰＵ４０で実行されるプログラムや測定結果を記憶するメモリ４１と、測定結果等を表示する表示部４と、測定スイッチや電源スイッチなどを含む操作部３と、外部電源から供給された電力を血圧計１の各部に供給する電源４４とを含む。なお、電源４４は、充電池等の、外部電源からの電力の供給を受けることなく血圧計１の各部に電力を供給するものであっても良い。
【００２８】
ＣＰＵ４０は、操作部３から入力される操作信号に基づいてメモリ４１に記憶されている所定のプログラムを実行し、ポンプ駆動回路２６，３６および弁駆動回路２７，３７に制御信号を出力する駆動制御部４０Ｂを含む。ポンプ駆動回路２６，３６および弁駆動回路２７，３７は、制御信号に従ってポンプ２１，３１および弁２２，３２を駆動させ、血圧測定動作を実行させる。
【００２９】
圧力センサ２３は測定用空気袋１３の内圧を検出し、検出信号を増幅器２８に入力する。また、圧力センサ３３は圧迫度合検出手段に相当し、測定用空気袋圧迫手段による測定用空気袋の圧迫度合いに相当する圧迫固定用空気袋８の内圧を検出し、検出信号を増幅器３８に入力する。入力された圧力信号は、各々、増幅器２８，３８において所定振幅まで増幅され、Ａ／Ｄ変換器２９，３９においてデジタル信号に変換された後に、ＣＰＵ４０に入力される。
【００３０】
ＣＰＵ４０は、圧力センサ２３，３３から得られた測定用空気袋１３および圧迫固定用空気袋８の内圧に基づいて所定の処理を実行し、その結果に応じてポンプ駆動回路２６，３６および弁駆動回路２７，３７に上記制御信号を出力する。
【００３１】
また、ＣＰＵ４０は、圧力センサ２３から得られた測定用空気袋１３の内圧に基づいて血圧値（最高血圧値、最低血圧値、および／または、平均血圧値）を算出する血圧値算出部４０Ａを含む。そして、ＣＰＵ４０は、血圧値算出部４０Ａによって算出された血圧値を、測定結果として表示部４に表示させるために、表示部４に出力する。
【００３２】
操作部３は、血圧計１の電源投入のＯＮ／ＯＦＦを切替えるための電源スイッチ３Ａ、血圧計１に血圧測定を開始させるための測定スイッチ３Ｂ、実行中の測定を強制的に停止させるための停止スイッチ３Ｃ、および、血圧計１の使用者を選択する選択ための使用者選択スイッチ３Ｄを含む。ＣＰＵ４０は、操作部３の各スイッチが操作された場合、各スイッチに対応した制御を実行する。
【００３３】
［４．血圧測定処理］
図５は、血圧計１において測定者の血圧を測定する際に実行される処理（血圧測定処理）のフローチャートである。
【００３４】
図５を参照して、電源スイッチ３Ａを操作されると、ステップＳＡ１において、ＣＰＵ４０は血圧計１の初期化を行なう。
【００３５】
そして、さらに、測定スイッチ３Ｂを操作されると（ステップＳＡ１）、ＣＰＵ４０は、カフを測定部位に巻きつける処理を行なう。当該処理では、ＣＰＵ４０は、たとえば、測定用空気袋１３に所定量の空気を導入し、また、圧迫固定用空気袋８の圧力を上昇させる。そして、圧迫固定用空気袋８の圧力の上昇率を検出し、上昇開始時に対して所定の圧力上昇率が検出されたところで、圧迫固定用空気袋８の圧力上昇を停止させる。これにより、カフが測定部位に巻き付けられる。
【００３６】
次に、ステップＳＡ２で、測定用空気袋１３の加圧を開始して、ステップＳＡ３に処理を進める。
【００３７】
ステップＳＡ３では、ＣＰＵ４０は、測定用空気袋１３の内圧が特定の圧力に達したか否かを判断する。そして、達したと判断すると、ステップＳＡ４へ処理を進める。ここで、特定の圧力とは、測定者の最高血圧よりも十分に（２０〜３０ｍｍＨｇ程度）高いとされる圧力であって、たとえば、予めメモリ４１に記憶された値であっても良いし、測定用空気袋１３の内圧の上昇過程において簡易的に検出された最高血圧値に基づいて算出されても良いし、現在測定中の測定者についてメモリ４１に記憶された過去の最高血圧値の測定結果に基づいて算出されても良い。なお、メモリ４１に過去の血圧値の測定結果を測定者ごとに記憶しておき、そして、ステップＳＡ１において、測定者を特定する情報の入力を受付けることにより、ＣＰＵ４０は、現在の測定者の過去の血圧値の測定値を読み出すことができる。
【００３８】
ステップＳＡ４では、ＣＰＵ４０は、測定用空気袋１３の減圧を開始して、ステップＳＡ５へ処理を進める。測定用空気袋１３の減圧は、弁２２を開状態とすることにより実現される。なお、測定用空気袋１３を減圧するためのポンプを別途設け、当該ポンプを駆動することによって測定用空気袋１３を減圧しても良い。
【００３９】
なお、ＣＰＵ４０は、測定用空気袋１３の内圧を減圧する際、圧迫固定用空気袋８の内圧を測定用空気袋１３の内圧に合わせるように調整する。具体的には、測定用空気袋１３の内圧より高く、かつ、測定用空気袋１３の内圧に対して一定の圧力差を有するように、調整する。測定用空気袋１３と圧迫固定用空気袋８の内圧の変化の一例を、図６に示す。
【００４０】
図６において、横軸は測定時間を示し、縦軸は測定用空気袋１３と圧迫固定用空気袋８の内圧を示している。また、図６では、測定用空気袋１３の内圧は実線（線Ｌ１）で示され、圧迫固定用空気袋８の内圧は破線（線Ｌ２）で示されている。
【００４１】
測定開始時から測定用空気袋１３が加圧され、特定の圧力（図６の圧力Ｐｍ）に達すると、測定用空気袋１３が減圧される。測定用空気袋１３の減圧が開始されると、圧迫固定用空気袋８の内圧が測定用空気袋１３の内圧との差が或る値となるように制御される。この制御は、たとえば測定用空気袋１３の内圧の検出値に基づいて弁３２の開放量を調整することにより実現される。このような制御により、測定用空気袋１３の内圧がＰｍに達した測定時間Ｔｍ以降、測定時間Ｔ１まで、圧迫固定用空気袋８の内圧と測定用空気袋１３の内圧の差が或る値に維持される。
【００４２】
そして、ＣＰＵ４０は、測定用空気袋１３の減圧中の測定用空気袋１３の内圧に重畳した動脈の容積変化に伴う振動成分を抽出し、公知の演算処理により血圧値を算出する（ステップＳＡ７）。
【００４３】
ステップＳＡ５では、ＣＰＵ４０は、上記血圧値の算出と並行して、測定用空気袋１３の内圧が所定の圧力（Ｐ１）に達したか否かを判断する。そして、達したと判断するとステップＳＡ６へ処理を進める。
【００４４】
ステップＳＡ６では、測定用空気袋１３の内圧と圧迫固定用空気袋８の内圧の差が一定の値以上となるように圧迫固定用空気袋８の内圧を調整する。ここでの圧迫固定用空気袋８の内圧の調整は、たとえば弁３２を閉状態としたり、または弁３２の開放量を小さくすることにより、圧迫固定用空気袋８内の空気の排出を抑えるための制御により実現される。このように制御されることにより、図６において、測定用空気袋１３の内圧がＰ１まで低下した測定時間Ｔ１以降、測定用空気袋１３と圧迫固定用空気袋８の内圧差が、ＴｍからＴ１までの内圧差より大きくなっている。
【００４５】
この内圧差により、圧迫固定用空気袋８は、測定用空気袋１３に対して大気圧以上の圧力を印加できる。つまり、この内圧差は、圧迫固定用空気袋８が、カーラ１０の重なり部分の摩擦力に打ち勝って測定用空気袋１３に対して大気圧以上の圧力を印加できる圧力である。
【００４６】
上記のように、血圧の測定（ステップＳＡ７）と圧迫固定用空気袋８の内圧の調整（ステップＳＡ６）とを並行して実行しているときに、ＣＰＵ４０は、血圧測定が完了したと判断すると（ステップＳＡ８でＹＥＳ）、ステップＳＡ９に処理が進められる。
【００４７】
ステップＳＡ９では、ＣＰＵ４０は、測定用空気袋１３の排気を完了させるために、上記したような測定用空気袋１３と圧迫固定用空気袋８の内圧差が一定の値以上となる状態としたままで、一定時間以上弁２２を開放させて、ステップＳＡ１０へ処理を進める。
【００４８】
ステップＳＡ１０では、ＣＰＵ４０は、圧迫固定用空気袋８を排気して（弁３２を開放した状態を特定時間以上継続させて）、ステップＳＡ１１へ処理を進める。
【００４９】
ステップＳＡ１１では、ＣＰＵ４０は、表示部４に、測定した血圧値を表示させて、血圧測定処理を終了させる。
【００５０】
以上説明した血圧測定処理によれば、血圧測定終了後に、測定用空気袋１３と圧迫固定用空気袋８の内圧差が一定の値以上となる状態が一定時間以上継続されることにより、測定用空気袋１３内の空気の排出が促進される。これにより、確実に、血圧測定完了時に、測定用空気袋１３内の空気が排出される。
【００５１】
［５．変形例（１）］
以上説明した血圧測定処理では、測定用空気袋１３の内圧がＰ１まで減圧されたことを起点として、上記内圧差が一定の値以上となるように圧迫固定用空気袋８の内圧が制御されている。
【００５２】
なお、上記した血圧測定処理では、測定用空気袋１３の内圧を検出し、検出値がＰ１になったことを条件として、上記内圧差が一定の値以上となるような圧迫固定用空気袋８の内圧の制御が開始されている。ここで、たとえば、測定用空気袋１３の内圧がＰ１以下となるような、測定開始時または測定用空気袋１３の減圧（ステップＳＡ４）の開始時からの経過時間を予め想定し、当該経過時間の経過を条件として、上記内圧差が一定の値以上となるような圧迫固定用空気袋８の内圧の制御が開始されても良い。
【００５３】
当該経過時間の想定は、たとえば現在の測定者の過去の血圧測定値（メモリ４１に記憶されたもの）や、加圧工程（ステップＳＡ２）において暫定的に検出された測定者の血圧値（最低血圧値、平均血圧値、および／または、最高血圧値）と、測定用空気袋１３の減圧（ステップＳＡ４）の速度とに基づいて、実現することができる。
【００５４】
［６．変形例（２）］
上記した実施の形態では、測定用空気袋１３と圧迫固定用空気袋８の間にカーラ１０が設けられていた。なお、カーラ１０は、測定用空気袋１３を測定部位の周方向に均等にさせる等のために設けられるものであるが、血圧計１において必須の構成要素ではない場合もある。
【００５５】
カーラ１０を設けられていない血圧計１において実行される血圧測定処理のフローチャートを図７に示す。
【００５６】
図７を参照して、電源スイッチ３Ａを操作されると、ＣＰＵ４０は、ステップＳＡ１と同様に、ステップＳＴ１において、ＣＰＵ４０は血圧計１の初期化を行なう。
【００５７】
そして、さらに、測定スイッチ３Ｂを操作されると（ステップＳＴ１）、ＣＰＵ４０は、ステップＳＡ１と同様に、カフを測定部位に巻きつける処理を行なう。
【００５８】
次に、ステップＳＴ２で、ＣＰＵ４０は、ステップＳＡ２と同様に、測定用空気袋１３の加圧を開始して、ステップＳＴ３に処理を進める。
【００５９】
ステップＳＴ３では、ＣＰＵ４０は、ステップＳＡ３と同様に、測定用空気袋１３の内圧が特定の圧力に達したか否かを判断する。そして、達したと判断すると、ステップＳＴ４へ処理を進める。
【００６０】
ステップＳＴ４では、ＣＰＵ４０は、ステップＳＡ４と同様に、測定用空気袋１３を減圧を開始して、ステップＳＴ５へ処理を進める。
【００６１】
なお、ＣＰＵ４０は、ステップＳＴ４において測定用空気袋１３の内圧を減圧する際、圧迫固定用空気袋８の内圧を測定用空気袋１３の内圧に合わせるように調整する。具体的には、測定用空気袋１３の内圧と同じ内圧となるように、調整する。測定用空気袋１３と圧迫固定用空気袋８の内圧の変化の一例を、図８に示す。
【００６２】
図８において、横軸は測定時間を示し、縦軸は測定用空気袋１３と圧迫固定用空気袋８の内圧を示している。また、図８では、測定用空気袋１３の内圧は実線（線Ｌ３）で示され、圧迫固定用空気袋８の内圧は破線（線Ｌ４）で示されている。
【００６３】
測定開始時から測定用空気袋１３が加圧され、特定の圧力（図８の圧力Ｐｍ）に達すると、測定用空気袋１３が減圧される。測定用空気袋１３の減圧が開始されると、圧迫固定用空気袋８の内圧が測定用空気袋１３の内圧とが同じ値となるように制御される。この制御は、たとえば測定用空気袋１３の内圧の検出値に基づいて弁３２の開放量を調整することにより実現される。このような制御により、測定用空気袋１３の内圧がＰｍに達した測定時間Ｔｍ以降、測定時間Ｔ２まで、圧迫固定用空気袋８の内圧と測定用空気袋１３の内圧が同じ値に維持される。
【００６４】
そして、ＣＰＵ４０は、測定用空気袋１３の減圧中の測定用空気袋１３の内圧に重畳した動脈の容積変化に伴う振動成分を抽出し、公知の演算処理により血圧値を算出する（ステップＳＴ５）。
【００６５】
そして、ＣＰＵ４０は、ステップＳＴ６において、血圧値（最低血圧値、平均血圧値、および／または、最高血圧値）の算出が完了したか否かを判断し、完了したと判断するとステップＳＴ７へ処理を進める。
【００６６】
ステップＳＴ７では、測定用空気袋１３の内圧と圧迫固定用空気袋８の内圧の差が一定の値以上となるように圧迫固定用空気袋８の内圧を調整する。ここでの圧迫固定用空気袋８の内圧の調整は、たとえば弁３２を閉状態としたり、または弁３２の開放量を小さくすることにより、圧迫固定用空気袋８内の空気の排出を抑えるための制御により実現される。なお、ここでは、弁２２は開放されている。このように制御されることにより、図８において、血圧値の算出が完了した時点（測定時間Ｔ２）以降、測定用空気袋１３と圧迫固定用空気袋８の内圧差が、上記した一定の値以上となっている。
【００６７】
この内圧差により、圧迫固定用空気袋８は、測定用空気袋１３に対して大気圧以上の圧力を印加できる。つまり、この内圧差は、圧迫固定用空気袋８が、測定用空気袋１３に対して大気圧以上の圧力を印加できる圧力である。
【００６８】
これにより、図８から理解されるように、Ｔ２以降の測定用空気袋１３の圧力の単位時間当たりの減少量が、ＴｍからＴ２までの期間内の単位時間当たりの減少量よりも大きくなっている。
【００６９】
ＣＰＵ４０は、ステップＳＴ８では、ステップＳＴ７の処理を開始してから一定時間が経過するまで、測定用空気袋１３と圧迫固定用空気袋８の内圧差の関係を上記した一定の値以上に維持するよう圧迫固定用空気袋８の内圧を制御して、ステップＳＴ９へ処理を進める。なお、ＣＰＵ４０は、測定用空気袋１３の内圧が或る値以下となってから或る時間だけ経過したことを条件としてステップＳＴ９へ処理を進めても良い。
【００７０】
ステップＳＴ９では、ＣＰＵ４０は、圧迫固定用空気袋８を排気して（弁３２を開放した状態を特定時間以上継続させて）、ステップＳＴ１０へ処理を進める。
【００７１】
ステップＳＴ１０では、ＣＰＵ４０は、表示部４に、測定した血圧値を表示させて、血圧測定処理を終了させる。
【００７２】
［７．変形例（３）］
以上説明した実施の形態では、圧迫固定用空気袋８に接続された弁３２の開放量を小さくしたり閉状態とすることにより測定用空気袋１３の排気を促進したが、測定時間Ｔ１（図６）以降または測定時間Ｔ２（図８）以降、圧迫固定用空気袋８をさらに加圧して、測定用空気袋１３の排気を促進しても良い。
【００７３】
また、減圧ポンプを測定用空気袋１３に接続し、当該減圧ポンプを駆動することにより、測定用空気袋１３の排気を促進しても良い。
【００７４】
［８．変形例（４）］
以上説明した実施の形態では、測定用空気袋１３の排気を、圧迫固定用空気袋８によって測定用空気袋１３を圧迫することによって、促進していた。
【００７５】
血圧計１において、圧迫固定用空気袋８の代わりに、測定用空気袋１３を測定部位に押付けるために、ワイヤなどによって締め付ける機構によって、測定用空気袋１３の排気が促進されても良い。このような血圧計１の変形例のブロック図を図９に示す。また、当該変形例の測定部位近傍の模式的な断面を図１０に示す。
【００７６】
図９および図１０を参照して、本変形例の血圧計１には、圧迫固定用空気袋８の代わりに、上記したワイヤ８１Ａを含む圧迫固定用巻き取り機構８１が設けられている。圧迫固定用巻き取り機構８１は、その一端側が測定用空気袋１３に固定されている。圧迫固定用巻き取り機構８１の他端側は、モータ８２を含む巻き取り装置に収納されている。モータ８２が正方向に回転することにより、図１０において白抜き矢印で示された向きに沿って、圧迫固定用巻き取り機構８１によってワイヤ８１Ａが巻き取られることにより、測定用空気袋１３が測定部位に巻き付けられる。
【００７７】
モータ８２が逆方向に回転することにより、図１０において白抜き矢印で示された向きと逆の方向に沿って、圧迫固定用巻き取り機構８１によるワイヤ８１Ａの巻き取りが解除される。これにより、圧迫固定用巻き取り機構８１による測定用空気袋１３の測定部位への巻き付けが解除される。
【００７８】
本変形例の血圧計１には、モータ８２を駆動するためのモータ駆動回路８３が設けられている。モータ駆動回路８３は、ＣＰＵ４０により制御される。
【００７９】
本変形例の血圧計１において実行される血圧測定処理のフローチャートを図１１に示す。
【００８０】
図１１を参照して、電源スイッチ３Ａを操作されると、ステップＳＢ１において、ＣＰＵ４０は血圧計１の初期化を行なう。そして、さらに、測定スイッチ３Ｂを操作されると（ステップＳＢ１）、ＣＰＵ４０は、カフを測定部位に巻きつける処理を行なう。ステップＳＢ１では、圧迫固定用巻き取り機構８１によってワイヤ８１Ａが巻き取られることにより、カフが測定部位に巻き付けられる。
【００８１】
次に、ステップＳＢ２で、測定用空気袋１３の加圧を開始して、ステップＳＢ３に処理を進める。
【００８２】
ステップＳＢ３では、ＣＰＵ４０は、ステップＳＡ３等と同様に、測定用空気袋１３の内圧が特定の圧力に達したか否かを判断する。そして、達したと判断すると、ステップＳＢ４へ処理を進める。
【００８３】
ステップＳＢ４では、ＣＰＵ４０は、測定用空気袋１３の減圧を開始して、ステップＳＢ５へ処理を進める。測定用空気袋１３の減圧は、弁２２を開状態とすることにより実現される。
【００８４】
そして、ＣＰＵ４０は、測定用空気袋１３の減圧中の測定用空気袋１３の内圧に重畳した動脈の容積変化に伴う振動成分を抽出し、公知の演算処理により血圧値を算出する（ステップＳＢ５）。
【００８５】
そして、ＣＰＵ４０は、ステップＳＢ６において、血圧値（最高血圧値、最低血圧値、および／または、平均血圧値）の算出が完了したか否かを判断し、完了したと判断するとステップＳＢ７へ処理を進める。
【００８６】
ステップＳＢ７では、ＣＰＵ４０は、ワイヤ８１Ａに、大気圧以上の力で圧迫するように測定用空気袋１３を締め付けさせる。具体的には、ワイヤ８１Ａをこのように動作させるよう、モータ８２を駆動させる。そして、ＣＰＵ４０は、ステップＳＢ７の処理を開始してから一定時間が経過すると、ステップＳＢ８へ処理を進める。なお、ＣＰＵ４０は、測定用空気袋１３の内圧が或る値以下となってから或る時間だけ経過したことを条件としてステップＳＢ８へ処理を進めても良い。
【００８７】
ステップＳＢ８では、ＣＰＵ４０は、測定用空気袋１３を排気して（弁２２を開放した状態を特定時間以上継続させて）、ステップＳＢ１０へ処理を進める。
【００８８】
ステップＳＢ１０では、ＣＰＵ４０は、表示部４に、測定した血圧値を表示させて、血圧測定処理を終了させる。
【００８９】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１  血圧計、２  本体、３  操作部、４  表示部、５  測定部、６  ハウジング、７  カバー、８  圧迫固定用空気袋、１０  カーラ、１３  測定用空気袋、２０  測定用エア系、２１，３１  ポンプ、２２，３２  弁、２３，３３  圧力センサ、２６，３６  ポンプ駆動回路、２７，３７  弁駆動回路、３０  圧迫固定用エア系、４１  メモリ、８１  圧迫固定用巻き取り機構、８１Ａ  ワイヤ、８２  モータ、８３  モータ駆動回路、１００  上腕。
【図１】
0005640527.tif 000002
【図２】
0005640527.tif 000003
【図３】
0005640527.tif 000004
【図４】
0005640527.tif 000005
【図５】
0005640527.tif 000006
【図６】
0005640527.tif 000007
【図７】
0005640527.tif 000008
【図８】
0005640527.tif 000009
【図９】
0005640527.tif 000010
【図１０】
0005640527.tif 000011
【図１１】
0005640527.tif 000012